(57)【要約】【課題】携帯通信端末の小型化に伴い、複数のアンテナを装備して、その中の最も受信感度の良いアンテナを選択使用するアンテナ切替を行う。従来の携帯通信端末では、必ずしも常に受信感度の良いアンテナの選択使用ができない。【解決手段】複数のアンテナを装備する携帯電話機がステップ４２で基地局からのＰＩＣＨのデータを受信してＰＣＨ情報ありを検出すると、続いて、基地局から送信されたＰＣＨのデータを４７に示すように受信する。この受信をトリガーとして、現在使用していないアンテナのＣＰＩＣＨの電波の受信電界レベルの測定結果と、現在使用中のアンテナの受信電界レベルとを比較し、受信電界レベルが良好な方の内蔵アンテナを選択する。これにより、待ち受け中から通信状態に遷移したことをトリガーとしてアンテナ切り替えが行われる。【選択図】            図１０
2004356798.tif 000002
【特許請求の範囲】
【請求項１】
装備されている複数のアンテナのうち一のアンテナを選択使用する切替機能を有し、基地局との間で無線通信する携帯通信端末において、
待ち受け中に所定の操作が行われたか否かを検出する操作検出手段と、
前記複数のアンテナの受信電界レベルを測定する測定手段と、
前記操作検出手段により前記所定の操作が行われたことが検出されたときには、前記測定手段により測定された前記複数のアンテナの受信電界レベルのうち、最も良い受信電界レベルの一のアンテナを通信用に選択する切替手段と
を有することを特徴とする携帯通信端末。
【請求項２】
前記操作検出手段は、前記複数のアンテナのうち少なくとも一のアンテナが伸縮自在な外部アンテナであるときに、該外部アンテナを伸ばす操作と、入力部による所定の入力操作の一方又は両方であることを特徴とする請求項１記載の携帯通信端末。
【請求項３】
前記操作検出手段は、上部筐体部と下部筐体部の各一側端部同士がヒンジ機構により回動自在に結合されており、前記上部筐体部の内側面と前記下部筐体部の内側面とをほぼ密接するように対向配置する閉状態と、前記上部筐体部の内側面と前記下部筐体部の内側面とが所定角度離間される開状態のいずれかで使用される場合に、前記閉状態から前記開状態とするための操作を検出することを特徴とする請求項１記載の携帯通信端末。
【請求項４】
装備されている複数のアンテナのうち一のアンテナを選択使用する切替機能を有し、基地局との間で無線通信する携帯通信端末において、
前記基地局との間の通信が途切れる所定の内部動作が行われたか否かを検出する動作検出手段と、
前記複数のアンテナの受信電界レベルを測定する測定手段と、
前記動作検出手段により前記所定の内部動作が行われたことが検出されたときには、前記測定手段により測定された前記複数のアンテナの受信電界レベルのうち、最も良い受信電界レベルの一のアンテナを通信用に選択する切替手段と
を有することを特徴とする携帯通信端末。
【請求項５】
前記動作検出手段は、待ち受け中から通信状態に遷移するときの第１の動作、通信を開始するために共通チャネルをオープンする直前の第２の動作、通信を開始するために前記共通チャネルをオープンした直後の第３の動作、通信を開始するためにデータを送信する直前の第４の動作、前記共通チャネルをクローズし、前記個別チャネルをオープンした後のユーザーデータの送受信を開始する直前の第５の動作、待ち受け中に前記基地局から定期的に送信される所定チャネルのデータを受信する直前の第６の動作、及び前記所定のチャネルと共に所定の制御情報用チャネルがクローズしたときの第７の動作のうち、予め設定したいずれか一の動作又は任意の二以上の動作を検出することを特徴とする請求項４記載の携帯通信端末。
【請求項６】
少なくとも一の内蔵アンテナを装備すると共に、外部から指向性の異なる複数のアンテナが接続され、それらのアンテナのうち一のアンテナを選択使用する切替機能を有し、基地局との間で無線通信する携帯通信端末において、
待ち受け中に前記基地局から定期的に送信される所定チャネルのデータを受信する直前の動作、又は通信を開始するために制御情報用チャネルをクローズしたことを検出する動作検出手段と、
外部から接続される前記複数のアンテナと前記内蔵アンテナの受信電界レベルを測定する測定手段と、
前記動作検出手段により動作が検出されたときには、前記測定手段により測定された外部から接続される前記複数のアンテナと前記内蔵アンテナの受信電界レベルのうち、最も良い受信電界レベルの一のアンテナを通信用に選択する切替手段と
を有することを特徴とする携帯通信端末。
【請求項７】
基地局との間で無線通信する携帯通信端末が装備している複数のアンテナのうち一のアンテナを選択使用する切替を行うアンテナ切替方法において、
待ち受け中に所定の操作が行われたか否かを検出する第１のステップと、
前記第１のステップにより前記所定の操作が行われたことが検出されたときに、前記複数のアンテナの受信電界レベルを測定する第２のステップと、
測定された前記複数のアンテナの受信電界レベルのうち、最も良い受信電界レベルの一のアンテナを通信用に選択する第３のステップと
を含むことを特徴とするアンテナ切替方法。
【請求項８】
基地局との間で無線通信する携帯通信端末が装備している複数のアンテナのうち一のアンテナを選択使用するアンテナ切替方法において、
前記基地局との間の通信が途切れる所定の内部動作が行われたか否かを検出する第１のステップと、
前記第１のステップにより前記所定の内部動作が行われたことが検出されたときに、前記複数のアンテナの受信電界レベルを測定する第２のステップと、
測定された前記複数のアンテナの受信電界レベルのうち、最も良い受信電界レベルの一のアンテナを通信用に選択する第３のステップと
を含むことを特徴とするアンテナ切替方法。
【発明の詳細な説明】
【０００１】
【発明の属する技術分野】
本発明は携帯通信端末及びそのアンテナ切替方法に係り、特に複数のアンテナを装備しており、広帯域ＣＤＭＡ（Ｗ−ＣＤＭＡ）にて用いられる携帯電話機等の携帯通信端末及びそのアンテナ切替方法に関する。
【０００２】
【従来の技術】
携帯電話機や簡易型携帯電話機（ＰＨＳ，ＰＤＣ）等の携帯通信端末のうち、装備している複数のアンテナのうち使用目的や送受信環境などに応じて一本のアンテナを切替選択して使用するようにした携帯通信端末が従来より提案されている（例えば、特許文献１、２及び３参照）。
【０００３】
特許文献１には、装備している複数のアンテナでそれぞれ受信した信号のレベルを比較し、受信レベルの最も大きなアンテナを使用するように切り替えるアンテナ切替ダイバーシチ方式を採用した携帯通信端末で、アンテナ切替が不要である所定の条件のときには、アンテナ切替の判断に用いる受信レベルを測定するために動作させる受信回路部の電源をオフする構成により、消費電流を低減するようにした携帯通信端末が開示されている。
【０００４】
また、特許文献２には、ディジタル電話機であるＰＤＣ（ｐｅｒｓｏｎａｌ  ｄｉｇｉｔａｌ  ｃｅｌｌｕｌａｒ）と、アナログコードレス電話をディジタル化した電話機であるＰＨＳ（ｐｅｒｓｏｎａｌ  ｈａｎｄｙｐｈｏｎｅ  ｓｙｓｔｅｍ）のどちらでも選択した方で通話可能なＰＤＣ／ＰＨＳ複合端末で、ＰＤＣ／ＰＨＳ共用アンテナとＰＤＣ内蔵アンテナとを備え、ＰＤＣ／ＰＨＳ共用アンテナとＰＤＣ受信部又はＰＤＣ内蔵アンテナとＰＤＣ受信部のいずれかを選択接続する第１のスイッチ手段と、第１のスイッチ手段がＰＤＣ内蔵アンテナとＰＤＣ受信部を接続するときは、ＰＤＣ／ＰＨＳ共用アンテナに整合回路を接続する第２のスイッチ手段とを設けた構成により、ＰＤＣ側のアンテナ切替によりＰＨＳ側の送受信特性の劣化を防止するようにした携帯通信端末が開示されている。
【０００５】
更に、特許文献３には、下部筐体にＣＤＭＡ／ＧＰＳ共用アンテナが設けられ、上蓋の表示部側又は下部筐体のキー側の表面部分にＧＰＳアンテナが設けられた折畳み式の携帯電話機において、上蓋が開いたときにＧＰＳアンテナを選択し、上蓋が閉じたときはＣＤＭＡ／ＧＰＳ共用アンテナを選択する構成の携帯電話機（携帯通信端末）が開示されている。
【０００６】
【特許文献１】
特開２０００−３０７４９２号公報（第２頁）
【特許文献２】
特開２００１−０３６４６１号公報（第２−３頁）
【特許文献３】
特開２００２−３５４０７３号公報（第２頁）
【０００７】
【発明が解決しようとする課題】
ところで、携帯通信端末は近年益々小型化する傾向にあり、それに伴い従来の携帯通信端末に装備される複数のアンテナを装着する場所が益々制限されている。また、従来の携帯通信端末の小型化が進んだことにより、物理的に最も利得の良い場所のアンテナを選択した場合でも、ユーザーの利用の仕方、例えば、手で持つときの場所や、置いて使うときの置き方がアンテナ利得に影響し、アンテナの受信感度が悪化することがある。従って、従来の携帯通信端末では、小型な形状とした場合、複数のアンテナを装備して、その中の最良の受信感度のアンテナを選択するアンテナ切替を行うことが考えられる。
【０００８】
しかしながら、上記の特許文献１〜３記載の従来の携帯通信端末は、携帯通信端末の小型化によるアンテナ受信感度の悪化の点を考慮してアンテナ切替を行うものではない。また、特許文献１記載の従来の携帯通信端末は発信動作又は着信動作に入ってから最適なアンテナを選択するために、実際の発信動作又は着信動作に入るまでに時間がかかる。また、特許文献２及び３記載の従来の携帯通信端末は、ＰＤＣ方式とＰＨＳ方式のいずれで送受信するか選択したとき、あるいは折畳み式の携帯電話機の上蓋を開いたときに、単に所定のアンテナに切り替えるだけであるため、必ずしも最適な受信感度のアンテナ切替ができない。
【０００９】
更に、従来装置は、一般にはユーザーが行う通信動作に関連してアンテナ切替を行うだけであり、それ以外の例えば、位置登録時の携帯通信端末と基地局間の通信時、携帯端末と基地局間の定期的な通信時、待ち受け中の基地局からの制御信号に対する発信時などにおいては、アンテナ切替を行わないため、常に最適な受信感度のアンテナを使用しているとはいえない。
【００１０】
本発明は以上の点に鑑みなされたもので、端末が小型な形状であっても複数のアンテナを好適に装備し得る携帯通信端末及びそのアンテナ切替方法を提供することを目的とする。
【００１１】
また、本発明の他の目的は、常に最適な受信感度のアンテナを使用し得る携帯通信端末及びそのアンテナ切替方法を提供することにある。
【００１２】
更に、本発明の他の目的は、送受信データや発信動作、着信動作に影響を与えることなく、アンテナをより効果的に切り替え得る携帯通信端末及びそのアンテナ切替方法を提供することにある。
【００１３】
【課題を解決するための手段】
上記の目的を達成するため、第１の発明の携帯通信端末は、装備されている複数のアンテナのうち一のアンテナを選択使用する切替機能を有し、基地局との間で無線通信する携帯通信端末において、待ち受け中に所定の操作が行われたか否かを検出する操作検出手段と、複数のアンテナの受信電界レベルを測定する測定手段と、操作検出手段により所定の操作が行われたことが検出されたときには、測定手段により測定された複数のアンテナの受信電界レベルのうち、最も良い受信電界レベルの一のアンテナを通信用に選択する切替手段とを有する構成としたものである。
【００１４】
この発明では、発信動作や着信動作に入る前の待ち受け中に、操作検出手段により所定の操作が行われたことが検出されたときに、複数のアンテナのうち最良の受信電界レベル（受信感度）のアンテナを使用するように選択切替ができる。
【００１５】
ここで、上記の操作検出手段は、複数のアンテナのうち少なくとも一のアンテナが伸縮自在な外部アンテナであるときに、外部アンテナを伸ばす操作と、入力部による所定の入力操作の一方又は両方であることを特徴とする。上記の入力部による所定の入力操作としては、入力部による電話番号入力操作、メールアドレス入力操作、メール文作成操作、電話帳の閲覧操作などがあり、入力部を使用した操作すべてを含む。
【００１６】
また、上記の操作検出手段は、上部筐体部と下部筐体部の各一側端部同士がヒンジ機構により回動自在に結合されており、上部筐体部の内側面と下部筐体部の内側面とをほぼ密接するように対向配置する閉状態と、上部筐体部の内側面と下部筐体部の内側面とが所定角度離間される開状態のいずれかで使用される場合に、閉状態から開状態とするための操作を検出することを特徴とする。この発明では、折畳み型の携帯通信端末において、開状態とされる操作が行われたことが検出される。
【００１７】
また、上記の目的を達成するため、第４の発明の携帯通信端末は、装備されている複数のアンテナのうち一のアンテナを選択使用する切替機能を有し、基地局との間で無線通信する携帯通信端末において、基地局との間の通信が途切れる所定の内部動作が行われたか否かを検出する動作検出手段と、複数のアンテナの受信電界レベルを測定する測定手段と、動作検出手段により所定の内部動作が行われたことが検出されたときには、測定手段により測定された複数のアンテナの受信電界レベルのうち、最も良い受信電界レベルの一のアンテナを通信用に選択する切替手段とを有する構成としたものである。
【００１８】
この発明では、動作検出手段により携帯通信端末と基地局との間の通信が途切れる所定の内部動作が行われたことを検出したときに、複数のアンテナのうち最良の受信電界レベル（受信感度）のアンテナを使用するように選択切替ができる。
【００１９】
ここで、上記の動作検出手段は、待ち受け中から通信状態に遷移するときの第１の動作、通信を開始するために共通チャネルをオープンする直前の第２の動作、通信を開始するために共通チャネルをオープンした直後の第３の動作、通信を開始するためにデータを送信する直前の第４の動作、共通チャネルをクローズし、個別チャネルをオープンした後のユーザーデータの送受信を開始する直前の第５の動作、待ち受け中に基地局から定期的に送信される所定チャネルのデータを受信する直前の第６の動作、及び所定のチャネルと共に所定の制御情報用チャネルがクローズしたときの第７の動作のうち、予め設定したいずれか一の動作又は任意の二以上の動作を検出することを特徴とする。
【００２０】
携帯通信端末は、待ち受け中では基地局から定期的に送信される所定チャネルのデータを受信すると共に常時送信されるＣＰＩＣＨの電波を受信してアンテナの受信電界レベルを測定しており、所定の制御情報用チャネルのデータにより着信を確認するようにしている。発信又は着信の動作に入るときには、まず、上記の所定のチャネルと共に所定の制御情報用チャネルをクローズし、共通チャネルをオープンし、データ送受信を行った後、共通チャネルをクローズする。また、ユーザーデータの送受信を開始するためには、共通チャネルをクローズし、続いて携帯通信端末に割り当てられた個別チャネルをオープンした後、個別チャネルを用いてユーザーの認証、秘匿の設定を行ってから個別チャネルでユーザーデータの送受信を開始する。従って、上記の第１乃至第７の動作は、携帯通信端末と基地局との間の通信が途切れる所定の内部動作を示している。
【００２１】
また、上記の目的を達成するため、第６の発明の携帯通信端末は、少なくとも一の内蔵アンテナを装備すると共に、外部から指向性の異なる複数のアンテナが接続され、それらのアンテナのうち一のアンテナを選択使用する切替機能を有し、基地局との間で無線通信する携帯通信端末において、待ち受け中に基地局から定期的に送信される所定チャネルのデータを受信する直前の動作、又は通信を開始するために制御情報用チャネルをクローズしたことを検出する動作検出手段と、外部から接続される複数のアンテナと内蔵アンテナの受信電界レベルを測定する測定手段と、動作検出手段により動作が検出されたときには、測定手段により測定された外部から接続される複数のアンテナと内蔵アンテナの受信電界レベルのうち、最も良い受信電界レベルの一のアンテナを通信用に選択する切替手段とを有する構成としたものである。
【００２２】
この発明では、携帯通信端末がデータ通信機器（ＰＣカード型の通信カード）のように、指向性の異なる複数のアンテナが外部から接続される端末である場合に、待ち受け中に基地局から定期的に送信される所定チャネルのデータを受信する直前の動作、又は通信を開始するために制御情報用チャネルをクローズしたことを検出したときに、外部から接続される複数のアンテナと携帯通信端末の内蔵アンテナの受信電界レベルのうち、最も良い受信電界レベルの一のアンテナを通信用に選択する。
【００２３】
また、上記の目的を達成するため、第７の発明のアンテナ切替方法は、基地局との間で無線通信する携帯通信端末が装備している複数のアンテナのうち一のアンテナを選択使用する切替を行うアンテナ切替方法において、待ち受け中に所定の操作が行われたか否かを検出する第１のステップと、第１のステップにより所定の操作が行われたことが検出されたときに、複数のアンテナの受信電界レベルを測定する第２のステップと、測定された複数のアンテナの受信電界レベルのうち、最も良い受信電界レベルの一のアンテナを通信用に選択する第３のステップとを含むことを特徴とする。
【００２４】
この発明では、発信動作や着信動作に入る前の待ち受け中に、操作検出手段により所定の操作が行われたことが検出されたときに、複数のアンテナのうち最良の受信電界レベル（受信感度）のアンテナを使用するように選択切替ができる。
【００２５】
また、上記の目的を達成するため、第８の発明のアンテナ切替方法は、基地局との間で無線通信する携帯通信端末が装備している複数のアンテナのうち一のアンテナを選択使用するアンテナ切替方法において、基地局との間の通信が途切れる所定の内部動作が行われたか否かを検出する第１のステップと、第１のステップにより所定の内部動作が行われたことが検出されたときに、複数のアンテナの受信電界レベルを測定する第２のステップと、測定された複数のアンテナの受信電界レベルのうち、最も良い受信電界レベルの一のアンテナを通信用に選択する第３のステップとを含むことを特徴とする。
【００２６】
この発明では、携帯通信端末と基地局との間の通信が途切れる所定の内部動作が行われたことを検出したときに、複数のアンテナのうち最良の受信電界レベル（受信感度）のアンテナを使用するように選択切替ができる。
【００２７】
【発明の実施の形態】
次に、本発明の実施の形態について図面と共に説明する。図１乃至図６は本発明になる携帯通信端末の第１乃至第６の実施の形態の概略外観斜視図を示す。各図中、同一構成部分には同一符号を付してある。図１（Ａ）、（Ｂ）に示す第１の実施の形態の携帯通信端末は折畳み型携帯電話機で、上部筐体部１と下部筐体部２の各一側端部がヒンジ機構により回動自在に結合されており、上部筐体部１の内側面には各種の表示を行う表示部３が設けられ、下部筐体部２の内側面にはデータや番号を入力するための各種のキーからなる入力部４が設けられている。
【００２８】
なお、例えば、上部筐体部１の内側面の所定位置には受話音声を発音するためのスピーカが設けられ、また、下部筐体部２の内側面の所定位置には送話音声を収音するためのマイクが設けられているが、便宜上、図示を省略してある（図２〜図６も同様）。図１（Ａ）及び（Ｂ）は上部筐体部１と下部筐体部２の各内側面が所定角度離間された開状態を示しており、同図（Ａ）は上部筐体部１の内側面側から見た斜視図であり、同図（Ｂ）は上部筐体部１の外側面側から見た斜視図である（図２〜図６も同様）。
【００２９】
以上の構成は折畳み型携帯電話機の一般的な構成であるが、本実施の形態では、下部筐体部２の先端側筐体内に内蔵アンテナ５が設けられ、また、下部筐体部２のヒンジ機構側筐体内に内蔵アンテナ６が設けられており、更に、これらの内蔵アンテナ５及び６を、後述する条件をトリガーとしてアンテナ切替を行う点に特徴がある。
【００３０】
図２（Ａ）、（Ｂ）に斜視図を示す第２の実施の形態の携帯通信端末である折畳み型携帯電話機は、上部筐体部７の先端部に伸縮自在な外部アンテナ９が設けられ、また、下部筐体部８のヒンジ機構側筐体内に内蔵アンテナ１０が設けられている。本実施の形態は、第１の実施の形態と同様に２本のアンテナを有するが、一方が外部アンテナ９である点が第１の実施の形態と異なる。
【００３１】
図３（Ａ）、（Ｂ）に斜視図を示す第３の実施の形態の携帯通信端末である折畳み型携帯電話機は、下部筐体部２が第１の実施の形態と同様に２つの内蔵アンテナ５及び６を有し、更に上部筐体部１１の先端側筐体内に内蔵アンテナ１２が設けられている点に特徴がある。すなわち、この第３の実施の形態の折畳み型携帯電話機は、３つのアンテナを有し、これらを選択使用して通信を行う。
【００３２】
図４（Ａ）、（Ｂ）に斜視図を示す第４の実施の形態の携帯通信端末である折畳み型携帯電話機は、下部筐体部２が２つの内蔵アンテナ５及び６を有する点は第３の実施の形態と同様であるが、上部筐体部１３が先端側筐体内に内蔵アンテナ１２が設けられ、更に上部筐体部１３の先端部に伸縮自在な外部アンテナ１４が設けられている点が第３の実施の形態と異なる。
【００３３】
図５（Ａ）、（Ｂ）に斜視図を示す第５の実施の形態の携帯通信端末である折畳み型携帯電話機は、上部筐体部１５の先端側筐体内と右側面側筐体内にそれぞれ内蔵アンテナ１６及び１７が設けられ、下部筐体部１８の先端側筐体内と右側面側筐体内とヒンジ機構側筐体内にそれぞれ内蔵アンテナ１９、２０、２１が設けられている。すなわち、この実施の形態の折畳み型携帯電話機には、５つの内蔵アンテナが設けられている。
【００３４】
図６（Ａ）、（Ｂ）に斜視図を示す第６の実施の形態の携帯通信端末である折畳み型携帯電話機は、下部筐体部１８が３つの内蔵アンテナ１９、２０及び２１を有する点は第５の実施の形態と同様であるが、上部筐体部２２が先端側筐体内に内蔵アンテナ１６が設けられ、更に上部筐体部２２の先端部に伸縮自在な外部アンテナ２３が設けられている点が第５の実施の形態と異なる。すなわち、この実施の形態の折畳み型携帯電話機には、５つの内蔵アンテナと１つの外部アンテナの計６つのアンテナが設けられている。
【００３５】
図７は本発明になる携帯通信端末の一実施の形態の内部構成のブロック図を示す。同図中、図３と同一構成部分には同一符号を付してある。図７に示す携帯通信端末は、図３に示した第３の実施の形態の外観斜視図で示されたものに対応しており、またＷ−ＣＤＭＡにて用いられる。図７において、内蔵アンテナ５、６及び１２はスイッチ３１に接続されている。制御部３０は、入力部４からの入力データなどに基づいて、この携帯通信端末全体を統括的に制御する回路であり、後述する受信電界レベル測定器３２からの測定受信電界レベルと、後述する検出部３９により検出された所定の検出信号とに基づいて、スイッチ２１を切替制御して内蔵アンテナ５、６及び１２のうちのいずれか一の内蔵アンテナを無線部３３に接続し、また、表示駆動部３８を介して表示部３に入力部４により入力された所望の情報や受信した情報を表示する。
【００３６】
無線部３３は送信時は送信信号をスイッチ３１を通して接続された内蔵アンテナから無線送信させ、受信時は内蔵アンテナで受信された受信信号をスイッチ２１を通して入力されて所定の受信処理を行う。変復調部３４は、送信時は送話音声信号や送信データを所定の変調方式で変調して無線部３３へ供給し、受信時は受信信号を復調して得た音声信号や受信データを信号処理部３５へ出力する。
【００３７】
受信電界レベル測定器３２は無線部３３に接続され、無線部３３を通して入力される受信信号の受信電界レベルを測定し、その測定結果を制御部３０へ出力する。信号処理部３５は所定の信号処理を行い、復調音声信号はスピーカ３６に供給して音声として発音させ、マイク３７により音響−電気変換されて得られた送話音声信号に対して所定の信号処理を行って変復調部３４へ出力する。
【００３８】
ここで、本実施の形態では、検出部３９により（１）ユーザーの所定の操作を検出したとき、及び／又は（２）携帯電話機の内部の所定の動作を検出したときに、受信電界レベル測定器３２で３つ内蔵アンテナ５、６及び１２の各受信電界レベルを順次測定し、その測定結果を制御部３０に供給して、一番受信電界レベルの良好であった一つの内蔵アンテナを無線部３３に接続するようにスイッチ３１を切替制御する。
【００３９】
上記（１）のユーザーの所定の操作としては、▲１▼ユーザーがシェル（上部筐体部１、７、１１、１３、１５、２２）を開く、▲２▼ユーザーが外部アンテナ９、１４、２３を伸ばす、▲３▼ユーザーが入力部４から電話番号の入力を開始する、▲４▼ユーザーが入力部４を操作して制御部３０内の記憶部の電話帳を開く、▲５▼ユーザーが入力部４を操作してメールの作成を完了する（送信前）などがある。
【００４０】
一方、上記（２）の携帯電話機の内部の所定の動作としては、▲１▼待ち受け中から通信状態に遷移するとき、▲２▼制御情報用チャネルＰＣＨ（Ｐａｇｅ  Ｃｈａｎｎｅｌ）をクローズしたとき、▲３▼通信を開始するためにＦＡＣＨ（Ｆｏｒｗａｒｄ  Ａｃｃｅｓｓ  Ｃｈａｎｎｅｌ）／ＲＡＣＨ（Ｒａｎｄｏｍ  Ａｃｃｅｓｓ  Ｃｈａｎｎｅｌ）をオープンする前、▲４▼通信を開始するためにＦＡＣＨ／ＲＡＣＨをオープンした後、▲５▼通信を開始するためにＲＡＣＨデータを送信する前、▲６▼ユーザーデータの送受信を開始する前（呼接続を行うためのネットワーク側の通信に、ユーザーデータのチャネルを追加する前）、▲７▼ＰＩ転送用チャネルＰＩＣＨ（Ｐａｇｅ  Ｉｎｄｉｃａｔｏｒ  Ｃｈａｎｎｅｌ）を受信しに行く直前などがある。
【００４１】
検出部３９は上記のユーザーの所定の操作としてあげた５種類の操作のうちの少なくとも一つ、あるいはユーザーの所定の操作に替えて、あるいはユーザーの所定の操作に加えて、上記の携帯電話機の内部の所定の動作としてあげた７種類の動作の少なくとも一つを検出するが、どれを検出するかは予め設定されている。
【００４２】
【実施例】
次に、図３の斜視図で示された概略外観を有し、図７のブロック図の構成の本発明の第３の実施の形態の携帯通信端末である折畳み型携帯電話機を例にとって、アンテナ切替の各実施例について詳細に説明する。
【００４３】
（第１実施例）
本実施例は図７の検出部３９が、前記（１）の▲１▼で示したユーザーが上部筐体部１１（シェル）を開いたことを検出したことをトリガーとして、アンテナ切替を行う例である。上記の検出を行うためには、折畳み型携帯電話機は待ち受け中となっている必要がある。電源オンから上記の待ち受け中になるまでについて図８のフローチャートと共に詳細に説明する。
【００４４】
まず、折畳み型携帯電話機の電源をオンとすると（ステップＳ１）、電話機内部の初期化とプログラムの起動が行われ（ステップＳ２）、続いて周辺セルの検索と測定が行われる（ステップＳ３）。このステップＳ３では、周波数、スクランブルコードを変えて最寄りの基地局の電波を探す。基地局の電波が見つかると、ＣＰＩＣＨ（コモンパイロットチャネル）の受信感度（受信電界レベル）を受信電界レベル測定器３２により測定する。
【００４５】
続いて、折畳み型携帯電話機の制御部３０は、ステップＳ３で見つけた基地局の報知情報を受信して取得する（ステップＳ４）。この報知情報には、どこのキャリアかと通信を行うときに設定すべきパラメータが含まれている。続いて、報知情報を基にＲＡＣＨとＦＡＣＨ、すなわち共通チャネルをオープンし（ステップＳ５）、この折畳み型携帯電話機から接続要求のデータを送信する（ステップＳ６）。この接続要求を受信した基地局は各携帯電話機に割り当てられた個別チャネルをオープンするためのパラメータデータを応答送信するので、接続要求元の折畳み型携帯電話機はそのパラメータデータを受信し（ステップＳ７）、共通チャネルをクローズする（ステップＳ８）。
【００４６】
続いて、制御部３０はステップＳ７で受信したデータを基に、ユーザー情報、制御情報転送用の個別チャネルであるＤＣＨ（Ｄｅｄｉｃａｔｅｄ  Ｃｈａｎｎｅｌ）をオープンし（ステップＳ９）、折畳み型携帯電話機に含まれるユーザー情報を基地局側に問い合わせるユーザー認証を行う（ステップＳ１０）。続いて盗聴防止のための設定を基地局との間で行い（ステップＳ１１）、基地局の上位のデータベースにこの折畳み型携帯電話機のＩＤを位置登録する（ステップＳ１２）。そして、個別チャネル（ＤＣＨ）をクローズし（ステップＳ１３）、制御情報用のチャネルであるＰＣＨをオープンして待ち受け中となる（ステップＳ１４）。なお、ＰＣＨのオープンと同時に、通常はＰＩＣＨもオープンとなる。
【００４７】
次に、上記の待ち受け中でのユーザーが上部筐体部１１（シェル）を開いたことを検出したときの折畳み型携帯電話機の動作について図９のシーケンス図と共に詳細に説明する。待ち受け中では、前回選択されたアンテナを使用している。ここでは、図３及び図７に示した内蔵アンテナ５、６及び１２のうち、内蔵アンテナ５を使用しているものとする。また、上記の待ち受け中では、図９のシーケンス図に４１で示すように、基地局から送信されるＰＩＣＨのデータを基地局から指定された時間間隔で内蔵アンテナ５により受信する。この時間間隔は通常２．５６秒である。折畳み型携帯電話機はＰＩＣＨのデータを受信して、ＰＣＨ情報がありそうか、本当に呼び出しがかかっているかを確認する。呼び出しがかかっていないときには２．５６秒後に図９に４２で示すように再びＰＩＣＨのデータを受信する。
【００４８】
ＰＩＣＨのデータを受信しなくてよい時間帯では、図７の制御部３０は内部の中央処理装置（ＣＰＵ）のクロックを停止し、可能な限り回路部の電源をオフして消費電流を低減して電池の寿命を延ばすようにしている。図９に４３で示すこのクロック停止状態は、スリープ状態と呼ばれる。また、折畳み型携帯電話機は、ＰＩＣＨの受信以外に常に基地局の送信するＣＰＩＣＨの電波を図９に４４、４５で示すように受信し、その受信電界レベルを図７の受信電界レベル測定器３２で測定している。内蔵アンテナ５、６及び１２の受信感度は、内蔵アンテナ５、６及び１２の受信電界レベルの測定結果と同じである。
【００４９】
上記の待ち受け中において、図３の折畳み型携帯電話機が上部筐体部１１と下部筐体部２とが互いに内側面をほぼ密接対向状態とされた閉状態から、ユーザーが例えば電話番号を入力するために、上部筐体部１１（シェル）を開いて開状態とすると、その開状態が図７の検出部３９により検出されて、その検出信号が制御部３０に入力される。すると、制御部３０は上記の検出信号の入力をトリガーとして、スイッチ３１を制御して現在使用していない内蔵アンテナ６を無線部３３に接続するように切り替え、その内蔵アンテナ６によるＣＰＩＣＨの電波の受信電界レベルの測定結果を受信電界レベル測定器３２から取得し、その測定結果が待ち受け中にて使用中の内蔵アンテナ５の受信電界レベルよりも良好であるかどうか比較し、良好であるときにはそのまま内蔵アンテナ６を無線部３３に接続し（アンテナ切り替えを行い）、良好でないときにはアンテナ切り替えは行わない（待ち受け中の内蔵アンテナ５を使用する。）。
【００５０】
続いて、制御部３０はスイッチ３１を制御して現在使用していないもう一つの内蔵アンテナ１２を無線部３３に接続するように切り替え、その内蔵アンテナ１２によるＣＰＩＣＨの電波の受信電界レベルの測定結果を受信電界レベル測定器３２から取得し、その測定結果が直前に選択した現在使用中の内蔵アンテナ５又は６の受信電界レベルよりも良好であるかどうか比較し、良好であるときにはそのまま内蔵アンテナ１２を無線部３３に接続し（アンテナ切り替えを行い）、良好でないときにはアンテナ切り替えは行わない（直前に選択した内蔵アンテナ５又は６を使用する。）。そして、最後に選択された内蔵アンテナにより以後、基地局との通信を行う。
【００５１】
上記の開状態検出時点からアンテナ切り替えを完了するまでの動作は、図９に４６で示すように、ユーザーが発信キーを押すことでＰＩＣＨ及びＰＣＨがチャネルクローズされるまでに行われる。携帯電話機がＦＡＣＨ／ＲＡＣＨをオープンして基地局と接続してデータ送受信を行うと、物理的にアンテナ切り替えを行うと、アンテナを切り替えた瞬間にうまく送受信できない。そのため、上記のように、データ送受信を行わない隙間でアンテナ切り替えを行うのである。なお、ユーザーが発信キーを押すまでに、アンテナ切り替えが完了しなかったときには、その時点で一番受信感度のよいアンテナを選択する。
【００５２】
（第２実施例）
本実施例は図７の検出部３９が、前記（２）の▲１▼で示した待ち受け中から通信状態に遷移したことをトリガーとしてアンテナ切り替えを行う例である。本実施例の動作について、図１０のシーケンス図と共に詳細に説明する。なお、図９と同一のステップは同一符号を付し、その説明を省略する。図１０において、携帯電話機がステップ４２で基地局からのＰＩＣＨのデータを受信してＰＣＨ情報ありを検出すると、続いて、基地局から送信されたＰＣＨのデータを４７に示すように受信する。
【００５３】
受信したＰＣＨのデータには、着信を開始するトリガーが含まれており、携帯電話機は基地局に接続する。また、携帯電話機内の図７に示した検出部３９がこれを検出して、その検出信号を制御部３０に入力することにより、制御部３０がその検出信号の入力をトリガーとして、スイッチ３１を制御して現在使用していない内蔵アンテナ６を無線部３３に接続するように切り替え、その内蔵アンテナ６によるＣＰＩＣＨの電波の受信電界レベルの測定結果を受信電界レベル測定器３２から取得し、その測定結果と、待ち受け中にて使用中の内蔵アンテナ５の受信電界レベルとを比較し、受信電界レベルが良好な方の内蔵アンテナを選択するように図７のスイッチ３１を制御する。
【００５４】
続いて、制御部３０は再びスイッチ３１を制御して現在使用していないもう一つの内蔵アンテナ１２を選択して、その内蔵アンテナ１２によるＣＰＩＣＨの電波の受信電界レベルの測定結果と、直前に選択した現在使用中の内蔵アンテナ５又は６の受信電界レベルとを比較し、受信電界レベルが良好な方の内蔵アンテナを選択するように図７のスイッチ３１を制御する。このようにして、図１０に４８で示すタイミングにおいて、一番受信電界レベルが良好な内蔵アンテナがスイッチ３１を介して無線部３３に接続される。
【００５５】
なお、着信のためのＰＩＣＨ受信をトリガーとしてアンテナ切り替えを行う場合も図１０に示したシーケンス図と同様の動作が行われる。
【００５６】
（第３実施例）
本実施例は図７の検出部３９が、前記（２）の▲２▼で示したＰＣＨをクローズしたことをトリガーとして、アンテナ切替を行う例である。本実施例の動作について、図１１のシーケンス図と共に詳細に説明する。折畳み型携帯電話機の待ち受け中では、前回選択されたアンテナを使用している。ここでは、図３及び図７に示した内蔵アンテナ５、６及び１２のうち、内蔵アンテナ５を使用しているものとする。
【００５７】
この待ち受け中において、図７の検出部３９により図１１に５１で示すようにＰＣＨのクローズが検出され、その検出信号が制御部３０に入力されると、制御部３０は上記の検出信号の入力をトリガーとして、スイッチ３１を制御して現在使用していない内蔵アンテナ６を無線部３３に接続するように切り替え、その内蔵アンテナ６によるＣＰＩＣＨの電波の受信電界レベルの測定結果を受信電界レベル測定器３２から取得し、その測定結果が待ち受け中にて使用中の内蔵アンテナ５の受信電界レベルよりも良好であるかどうか比較し、良好であるときにはそのまま内蔵アンテナ６を無線部３３に接続し（アンテナ切り替えを行い）、良好でないときにはアンテナ切り替えは行わない（待ち受け中の内蔵アンテナ５を使用する。）。
【００５８】
続いて、制御部３０は再びスイッチ３１を制御して現在使用していないもう一つの内蔵アンテナ１２を選択し、その内蔵アンテナ１２によるＣＰＩＣＨの電波の受信電界レベルの測定結果を受信電界レベル測定器３２から取得し、その測定結果が直前に選択した現在使用中の内蔵アンテナ５又は６の受信電界レベルよりも良好であるかどうか比較し、良好であるときにはそのまま内蔵アンテナ１２を無線部３３に接続し（アンテナ切り替えを行い）、良好でないときにはアンテナ切り替えは行わない。
【００５９】
上記のＰＣＨのチャネルクローズ検出時点からアンテナ切り替えを完了するまでの動作は、図１１に５２で示すように、ＦＡＣＨ／ＲＡＣＨのチャネルオープン５３が行われる前に行われる。その後、図１１に５４で示すようにＦＡＣＨ／ＲＡＣＨを使用して基地局との間でデータ送受信が、最後に選択された内蔵アンテナにより行われる。なお、ＦＡＣＨ／ＲＡＣＨのチャネルオープン５３までに、アンテナ切り替えが完了しなかったときには、その時点で一番受信感度のよいアンテナを選択する。
【００６０】
ここで、上記のＰＣＨのチャネルクローズは、発信時は▲１▼電源オン直後の位置登録、▲２▼定期的な位置登録（時間間隔は▲１▼の位置登録時に基地局から指定される）、▲３▼回線接続される基地局が変わった時、▲４▼携帯電話機の電源をオフするときに基地局に電源オフを通知する時、▲５▼ユーザーが発信する時に行われる。ユーザーの発信には、音声通話を行うとき、テレビ電話（ｉモードで接続するとき）を行うとき、メール送信するとき、メールの問い合わせの操作をするとき、ＰＤＡやＰＣと携帯電話機を接続しての発信するときなどがある。
【００６１】
なお、図１１は発信時のＰＣＨクローズの例であるが、着信時のＰＣＨクローズも同様にしてアンテナ切り替えが行われる。着信時はＰＣＨで受信が行われた後、ＰＣＨのチャネルクローズが行われる。着信時のＰＣＨクローズとしては、ユーザーへの着信時や基地局の送信する報知情報が変更されたときなどがある。
【００６２】
（第４実施例）
本実施例は図７の検出部３９が、前記（２）の▲７▼で示したＰＩＣＨを受信しに行く直前を検出したことをトリガーとして、アンテナ切替を行う例である。本実施例の動作について、図１２のシーケンス図と共に詳細に説明する。折畳み型携帯電話機の待ち受け中では、前回選択されたアンテナを使用している。ここでは、図３及び図７に示した内蔵アンテナ５、６及び１２のうち、内蔵アンテナ５を使用しているものとする。
【００６３】
待ち受け中では前述したように、携帯電話機は基地局から定期的（通常、２．５６秒おき）に送信されてくるＰＩＣＨのデータを受信する。図１２に６２で示すＰＩＣＨのデータ受信の直前の６１で示すタイミングで内蔵アンテナ６及び１２のＣＰＩＣＨの電波の受信電界レベルを測定し、その測定結果に基づき前述したアンテナ切り替えが行われる。
【００６４】
ＰＩＣＨのデータが図１２に６２で示すタイミングで受信されると、携帯電話機は同図に６３で示すように、次にＰＩＣＨのデータが受信されるはずの２．５６秒よりも若干短い所定時間スリープ状態となる。なお、ＰＩＣＨのデータの受信と同時に６４で示すように、ＣＰＩＣＨの電波の受信電界レベルの測定が行われる。上記のスリープ状態６３は、前回のＰＩＣＨのデータの受信開始より２．５６秒よりも若干短い所定時間継続した後、次のＰＩＣＨのデータが受信される直前に自動的にスリープ状態が解除されて（これを「ウェイクアップ」又は「起き上がる」という）携帯電話機内部のＣＰＵや回路部の電源がオンとなる。
【００６５】
図７の検出部３９はこれを検出すると、その検出信号を制御部３０に供給する。制御部３０はこの検出信号の入力をトリガーとして、スイッチ３１を制御して現在使用していない内蔵アンテナ６を無線部３３に接続するように切り替え、内蔵アンテナ６によるＣＰＩＣＨの電波の受信電界レベルの測定結果を受信電界レベル測定器３２から取得し、その測定結果が待ち受け中にて使用中の内蔵アンテナ５の受信電界レベルよりも良好であるかどうか比較し、良好であるときにはそのまま内蔵アンテナ６を無線部３３に接続し（アンテナ切り替えを行い）、良好でないときにはアンテナ切り替えは行わない（待ち受け中の内蔵アンテナ５を使用する。）。
【００６６】
続いて、制御部３０は再びスイッチ３１を制御して現在使用していないもう一つの内蔵アンテナ１２を無線部３３に接続するように切り替え、内蔵アンテナ１２によるＣＰＩＣＨの電波の受信電界レベルの測定結果を受信電界レベル測定器３２から取得し、その測定結果が直前に選択した現在使用中の内蔵アンテナ５又は６の受信電界レベルよりも良好であるかどうか比較し、良好であるときには内蔵アンテナ１２をそのまま無線部３３に接続し（アンテナ切り替えを行い）、良好でないときにはアンテナ切り替えは行わない。
【００６７】
上記のウェイクアップ時点からアンテナ切り替えを完了するまでの動作は、図１２に６５で示すように、次のＰＩＣＨのデータが受信される前に行われる。その後、図１２に６６で示すように次のＰＩＣＨのデータが最後に選択された内蔵アンテナにより受信される。なお、次のＰＩＣＨのデータが受信までに、アンテナ切り替えが完了しなかったときには、その時点で一番受信感度のよいアンテナを選択する。
【００６８】
（第５実施例）
本実施例は図７の検出部３９が、前記（２）の▲６▼で示したユーザーデータの送受信を開始する前（呼接続を行うためのネットワーク側の通信に、ユーザーデータのチャネルを追加する前）を検出したことをトリガーとして、アンテナ切替を行う例である。本実施例の動作について、図１３のシーケンス図と共に詳細に説明する。
【００６９】
携帯電話機から基地局へ接続するときは、基地局からの報知情報に従って、共通チャネル（ＦＡＣＨ／ＲＡＣＨ）をオープンし、この共通チャネルで接続要求を携帯電話機から基地局へ送信する。基地局はこの接続要求を受信すると、接続要求元の携帯電話機へ個別チャネル（ＤＣＨ）をオープンするためのデータを共通チャネルで送信する。携帯電話機はこのデータを共通チャネルで受信すると、共通チャネルをクローズして、図１３に７１で示すように、個別チャネル（ＤＣＨ）をオープンし、携帯電話機から基地局へ携帯電話機の接続動作が完了したことを示すメッセージを送信する。このメッセージを基地局が受信することで、基地局も接続動作が完了する。
【００７０】
その後、携帯電話機は図１３に７２で示すように、ユーザー情報を基地局側に問い合わせるユーザー認証を行い、続いて盗聴防止のための設定を基地局との間で行う（秘匿設定）。続いて、携帯電話機は発信時のトリガーに従った処理を行うが、ユーザーサービスを行うときはユーザーのサービスを行うためのＤＣＨを追加する。このユーザーサービスのためのＤＣＨを追加するとき、携帯電話機と基地局のデータの送受信が途切れる。
【００７１】
そこで、携帯電話機内の図７に示した検出部３９がユーザーサービスのためのＤＣＨを追加を検出して、その検出信号を制御部３０に入力することにより、制御部３０がその検出信号の入力をトリガーとして、スイッチ３１を制御して現在使用していない内蔵アンテナ６を無線部３３に接続し、その内蔵アンテナ６によるＣＰＩＣＨの電波の受信電界レベルを受信電界レベル測定器３２から取得し、その測定結果と直前まで使用中の内蔵アンテナ５の受信電界レベルとを比較し、受信電界レベルが良好な方の内蔵アンテナを選択するように図７のスイッチ３１を制御する。
【００７２】
続いて、制御部３０は再びスイッチ３１を制御して、現在使用していないもう一つの内蔵アンテナ１２を無線部３３に接続し、これにより受信電界レベル測定器３２により得られる、内蔵アンテナ１２によるＣＰＩＣＨの電波の受信電界レベルの測定結果と、直前に選択した現在使用中の内蔵アンテナ５又は６の受信電界レベルとを比較し、受信電界レベルが良好な方の内蔵アンテナを選択するように図７のスイッチ３１を制御する。このようにして、一番受信電界レベルが良好な内蔵アンテナがスイッチ３１を介して無線部３３に接続される。
【００７３】
上記のユーザーサービスのためのＤＣＨ追加検出時点からアンテナ切り替えを完了するまでの動作は、図１３に７３で示すように、ユーザーデータの送受信が追加されたＤＣＨで開始されるまでに行われる。アンテナ切り替え後は、最適な内蔵アンテナを使用したＤＣＨでのデータ送受信が、図１３に７４で示すように、基地局との間で行われる。
【００７４】
このように、上記の実施の形態及び実施例では、発信動作に入る直前にアンテナ切替をしたり、ユーザーが行う通信以外の、例えば位置登録時の携帯通信端末と基地局間の通信時、定期的な携帯通信端末と基地局間の通信、待ち受け中の基地局からの制御信号に対する発信などのときにもアンテナ切替を可能としている。
【００７５】
ところで、本発明は以上の実施の形態及び実施例に限定されるものではなく、例えば携帯通信端末以外に、携帯電話網と通信のできるデータ通信カードに外部から複数のアンテナを接続する場合にも同様のアンテナ切替動作を行うことができる。この場合、外部から指向性の異なる２本のアンテナからなるアンテナ装置を接続し、ＲＡＣＨ送信時とＰＩＣＨ受信時にアンテナ切り替えを以下の手順で行う。
【００７６】
すなわち、ＲＡＣＨ送信時には、待ち受け中にデータ通信カードがデータ通信を開始するためにＰＣＨをクローズすると同時に、使用していない外部アンテナ装置を構成する一方のアンテナの受信電界レベルを測定し、測定した受信電界レベルを現在使用中のアンテナの受信電界レベルと比較する。受信電界レベルが良好な方のアンテナを選択する。以下、同様のことを外部アンテナ装置のもう一方のアンテナについても行う。その後通信を行うためのＲＡＣＨの送信を行う。上記のＰＣＨクローズ検出時点からアンテナ切り替え完了時点までの動作は、ＲＡＣＨを用いた送信開始までに完了させる。そうでない場合は、その時点での一番感度の良いアンテナが選択される。
【００７７】
次に、ＰＩＣＨ受信時は、待ち受け中にＰＩＣＨを受信する前に自動的にスリープ状態が解除（ウェイクアップ）されて携帯電話機内部のＣＰＵや回路部の電源がオンとなる。このウェイクアップの完了と同時に、外部アンテナ装置を構成する一方のアンテナのＣＰＩＣＨの受信電界レベルを測定し、その測定受信電界レベルと現在使用中のデータ通信カードのアンテナの受信電界レベルとを比較して、受信電界レベルが良好な方のアンテナが選択される。
【００７８】
以下、同様のことを外部アンテナ装置のもう一方のアンテナについても行う。その後通信を行うためのＲＩＣＨの受信を行う。上記のウェイクアップ完了時点からアンテナ切り替え完了時点までの動作は、ＰＩＣＨ受信開始までに完了させる。そうでない場合は、その時点での一番感度の良いアンテナが選択される。
【００７９】
なお、本発明は以上の実施の形態に限定されるものではなく、例えば内蔵アンテナの数や外部アンテナの数は図１〜図６に限定されるものではないことは勿論である。また、本発明は、折畳み型携帯電話機以外の携帯電話機や簡易型携帯電話機などにも適用可能であることは勿論である。
【００８０】
【発明の効果】
以上説明したように、本発明によれば、発信動作や着信動作に入る前の待ち受け中に、操作検出手段により所定の操作が行われたことが検出されたときに、複数のアンテナのうち最良の受信電界レベル（受信感度）のアンテナを使用するように選択切替するため、発信動作や着信動作に入ってからアンテナ切替をする方法に比べて、発信動作や着信動作を最適な受信感度のアンテナを使用して迅速に開始することができ、また、端末が小型化していても最適なアンテナを使用できる。
【００８１】
また、本発明によれば、携帯通信端末と基地局との間の通信が途切れる所定の内部動作が行われたことを検出したときに、複数のアンテナのうち最良の受信電界レベル（受信感度）のアンテナを使用するように選択切替するため、待ち受け中に余分な測定をすることがないため待ち受け時間には影響せず、しかも通信中にアンテナ切替を行わないので、通信中のアンテナ切替の際の送受信データの瞬断などがなく、最適な受信感度のアンテナを使用した高品質の通信ができる。また、ユーザーが行うデータ通信や音声通話以外の所定の内部動作検出時にアンテナ切替をするため、常に受信性能を向上して高品質の通信ができ、特に形状が小型な携帯通信端末に適用して好適である。
【００８２】
更に、本発明によれば、携帯通信端末がデータ通信機器（ＰＣカード型の通信カード）のように、指向性の異なる複数のアンテナが外部から接続される端末である場合でも、待ち受け中に基地局から定期的に送信される所定チャネルのデータを受信する直前の動作、又は通信を開始するために制御情報用チャネルをクローズしたことを検出したときに、外部から接続される複数のアンテナと携帯通信端末の内蔵アンテナの受信電界レベルのうち、最も良い受信電界レベルの一のアンテナを通信用に選択することができる。
【図面の簡単な説明】
【図１】本発明の携帯通信端末の第１の実施の形態の概略外観斜視図である。
【図２】本発明の携帯通信端末の第２の実施の形態の概略外観斜視図である。
【図３】本発明の携帯通信端末の第３の実施の形態の概略外観斜視図である。
【図４】本発明の携帯通信端末の第４の実施の形態の概略外観斜視図である。
【図５】本発明の携帯通信端末の第５の実施の形態の概略外観斜視図である。
【図６】本発明の携帯通信端末の第６の実施の形態の概略外観斜視図である。
【図７】本発明の携帯通信端末の一実施の形態のブロック図である。
【図８】電源オンから待ち受け中になるまでの動作説明用フローチャートである。
【図９】本発明の第１実施例の動作説明用シーケンス図である。
【図１０】本発明の第２実施例の動作説明用シーケンス図である。
【図１１】本発明の第３実施例の動作説明用シーケンス図である。
【図１２】本発明の第４実施例の動作説明用シーケンス図である。
【図１３】本発明の第５実施例の動作説明用シーケンス図である。
【符号の説明】
１、７、１１、１３、１５、２２  上部筐体部
２、８、１８  下部筐体部
３  表示部
４  入力部
５、６、１０、１２、１６、１７、１９〜２１  内蔵アンテナ
９、１４、２３  外部アンテナ
３０  制御部
３１  スイッチ
３２  受信電界レベル測定器
３３  無線部
３９  検出部
【図１】
2004356798.tif 000003
【図２】
2004356798.tif 000004
【図３】
2004356798.tif 000005
【図４】
2004356798.tif 000006
【図５】
2004356798.tif 000007
【図６】
2004356798.tif 000008
【図７】
2004356798.tif 000009
【図８】
2004356798.tif 000010
【図９】
2004356798.tif 000011
【図１０】
2004356798.tif 000012
【図１１】
2004356798.tif 000013
【図１２】
2004356798.tif 000014
【図１３】
2004356798.tif 000015